(57)【要約】【課題】消費電力量を低減できる。【解決手段】送信回路は、無線信号を表すデータが入力され、上記入力されたデータを表すシリアル信号を送信する。送信回路は、符号化部１２１３と送信部１２２，１２１１，１２１５とを備える。符号化部１２１３は、任意のビット列を、同一の値が連続するビットの数が所定の閾値数以下であるビット列に変換する符号化方式に従って、上記入力されたデータを符号化する。送信部１２２，１２１１，１２１５は、上記無線信号が無線により通信される第１期間にて、上記符号化されたデータを表す第１シリアル信号を送信する。送信部１２２，１２１１，１２１５は、上記無線信号が無線により通信されない第２期間にて、上記閾値数よりも大きい連続数だけ同一の値が連続するビット列を表す第２シリアル信号を送信する。【選択図】図４
2018029242.tif 000002
【特許請求の範囲】
【請求項１】
無線信号を表すデータが入力され、前記入力されたデータを表すシリアル信号を送信する送信回路であって、
任意のビット列を、同一の値が連続するビットの数が所定の閾値数以下であるビット列に変換する符号化方式に従って、前記入力されたデータを符号化する符号化部と、
前記無線信号が無線により通信される第１期間にて、前記符号化されたデータを表す第１シリアル信号を送信するとともに、前記無線信号が無線により通信されない第２期間にて、前記閾値数よりも大きい連続数だけ同一の値が連続するビット列を表す第２シリアル信号を送信する送信部と、
を備える、送信回路。
【請求項２】
請求項１に記載の送信回路であって、
前記第２シリアル信号は、前記連続数だけ０が連続する第１ビット列と、前記連続数だけ１が連続する第２ビット列と、が交互に並ぶビット列を表す、送信回路。
【請求項３】
請求項１又は請求項２に記載の送信回路であって、
前記送信部は、前記無線信号が、時分割複信（ＴＤＤ；Ｔｉｍｅ  Ｄｉｖｉｓｉｏｎ  Ｄｕｐｌｅｘ）方式に従って通信されるか否かを表す情報と、前記無線信号の無線による通信に用いられる無線フレームにおける、前記無線信号が通信される期間のタイミングを表す情報と、前記無線フレームにおける、上りリンクの通信が行なわれる期間のタイミングを表す情報と、前記無線フレームにおける、下りリンクの通信が行なわれる期間のタイミングを表す情報と、の少なくとも１つに基づいて前記第２期間を特定する、送信回路。
【請求項４】
請求項１乃至請求項３のいずれか一項に記載の送信回路であって、
前記連続数は、前記第１シリアル信号及び前記第２シリアル信号を受信する受信回路が、受信したシリアル信号に基づいて送信回路と同期されるために許容する上限数未満である、送信回路。
【請求項５】
請求項１乃至請求項４のいずれか一項に記載の送信回路であって、
前記シリアル信号は、ペイロード部とヘッダ部とを含む通信フレームを形成し、
前記ヘッダ部は、当該ヘッダ部とともに前記通信フレームに含まれる前記ペイロード部が前記第２シリアル信号により形成されているか否かを表す、送信回路。
【請求項６】
無線信号を表すシリアル信号を受信する受信回路であって、
前記シリアル信号を受信する受信部と、
前記無線信号が無線により通信される第１期間にて受信された前記シリアル信号が表すデータを復号するとともに、前記無線信号が無線により通信されない第２期間にて受信された前記シリアル信号が表すデータを復号しない復号部と、
を備える、受信回路。
【請求項７】
請求項６に記載の受信回路であって、
前記復号部は、前記無線信号が、時分割複信（ＴＤＤ；Ｔｉｍｅ  Ｄｉｖｉｓｉｏｎ  Ｄｕｐｌｅｘ）方式に従って通信されるか否かを表す情報と、前記無線信号の無線による通信に用いられる無線フレームにおける、前記無線信号が通信される期間のタイミングを表す情報と、前記無線フレームにおける、上りリンクの通信が行なわれる期間のタイミングを表す情報と、前記無線フレームにおける、下りリンクの通信が行なわれる期間のタイミングを表す情報と、の少なくとも１つに基づいて前記第２期間を特定する、受信回路。
【請求項８】
請求項６又は請求項７に記載の受信回路であって、
前記シリアル信号は、ペイロード部とヘッダ部とを含む通信フレームを形成し、
前記ヘッダ部は、当該ヘッダ部とともに前記通信フレームに含まれる前記ペイロード部が、符号化されていないデータを表すシリアル信号により形成されているか否かを表し、
前記復号部は、前記ヘッダ部に基づいて前記第２期間を特定する、受信回路。
【請求項９】
無線信号を表すデータが入力され、前記入力されたデータを表すシリアル信号を送信する送信回路と、
前記シリアル信号を受信する受信回路と、
を備える通信システムであって、
前記送信回路は、
任意のビット列を、同一の値が連続するビットの数が所定の閾値数以下であるビット列に変換する符号化方式に従って、前記入力されたデータを符号化する符号化部と、
前記無線信号が無線により通信される第１期間にて、前記符号化されたデータを表す第１シリアル信号を送信するとともに、前記無線信号が無線により通信されない第２期間にて、前記閾値数よりも大きい連続数だけ同一の値が連続するビット列を表す第２シリアル信号を送信する送信部と、
を備え、
前記受信回路は、
前記シリアル信号を受信する受信部と、
前記第１期間にて受信された前記シリアル信号が表すデータを復号するとともに、前記第２期間にて受信された前記シリアル信号が表すデータを復号しない復号部と、
を備える、通信システム。
【請求項１０】
無線信号を表すデータが入力され、前記入力されたデータを表すシリアル信号を送信する送信方法であって、
任意のビット列を、同一の値が連続するビットの数が所定の閾値数以下であるビット列に変換する符号化方式に従って、前記入力されたデータを符号化し、
前記無線信号が無線により通信される第１期間にて、前記符号化されたデータを表す第１シリアル信号を送信するとともに、前記無線信号が無線により通信されない第２期間にて、前記閾値数よりも大きい連続数だけ同一の値が連続するビット列を表す第２シリアル信号を送信する、送信方法。
【請求項１１】
無線信号を表すシリアル信号を受信する受信方法であって、
前記シリアル信号を受信し、
前記無線信号が無線により通信される第１期間にて受信された前記シリアル信号が表すデータを復号するとともに、前記無線信号が無線により通信されない第２期間にて受信された前記シリアル信号が表すデータを復号しない、受信方法。
【請求項１２】
無線信号を表すデータが入力され、前記入力されたデータを表すシリアル信号を送信する送信回路と、前記シリアル信号を受信する受信回路と、を備える通信システムに適用される通信方法であって、
前記送信回路が、任意のビット列を、同一の値が連続するビットの数が所定の閾値数以下であるビット列に変換する符号化方式に従って、前記入力されたデータを符号化し、
前記送信回路が、前記無線信号が無線により通信される第１期間にて、前記符号化されたデータを表す第１シリアル信号を送信するとともに、前記無線信号が無線により通信されない第２期間にて、前記閾値数よりも大きい連続数だけ同一の値が連続するビット列を表す第２シリアル信号を送信し、
前記受信回路が、前記シリアル信号を受信し、
前記受信回路が、前記第１期間にて受信された前記シリアル信号が表すデータを復号するとともに、前記第２期間にて受信された前記シリアル信号が表すデータを復号しない、通信方法。
【発明の詳細な説明】
【技術分野】
【０００１】
本発明は、送信回路、受信回路、通信システム、送信方法、受信方法、及び、通信方法に関する。
【背景技術】
【０００２】
無線信号を表すデータが入力され、入力されたデータを表すシリアル信号を送信する送信回路と、当該シリアル信号を受信する受信回路と、を備える通信システムが知られている（例えば、特許文献１乃至３を参照）。例えば、通信システムは、無線基地局が備えるＢＢＵ（Ｂａｓｅｂａｎｄ  Ｕｎｉｔ）及びＲＲＨ（Ｒｅｍｏｔｅ  Ｒａｄｉｏ  Ｈｅａｄ）の間の通信に適用される。
【０００３】
送信回路は、任意のビット列を、同一の値が連続するビットの数が所定の閾値数以下であるビット列に変換する符号化方式に従って、入力されたデータを符号化する。例えば、符号化方式は、８Ｂ／１０Ｂ方式である。送信回路は、符号化されたデータを表すシリアル信号を送信する。
【先行技術文献】
【特許文献】
【０００４】
【特許文献１】特開２０１４−１１５５１号公報
【特許文献２】特開平８−１１６２８６号公報
【特許文献３】特開２０１１−１８８３５６号公報
【発明の概要】
【発明が解決しようとする課題】
【０００５】
ところで、シリアル信号が表すビット列において、値が変化する頻度（換言すると、トグル頻度）が高くなるほど、送信回路及び受信回路が消費する電力（例えば、スイッチング動作に伴って消費される電力）の量（換言すると、消費電力量）が大きくなる。
【０００６】
また、送信回路は、無線信号が無線により通信されない期間（換言すると、無通信期間）において、所定のビット列（例えば、０が連続するビット列）を上記符号化方式に従って符号化し、符号化されたビット列を表すシリアル信号を送信することがある。この場合、無通信期間においても、シリアル信号が表すビット列にて、同一の値が連続するビットの数は、上記閾値数以下である。このため、無通信期間においても、トグル頻度が高くなりやすい。従って、送信回路及び受信回路における消費電力量が大きくなりやすい。
【０００７】
ところで、無通信期間において、通信システムにおける通信を停止することも考えられる。しかしながら、この場合、送信回路と受信回路とを同期できない虞があった。
【０００８】
一つの側面として、本発明の目的の一つは、消費電力量を低減することにある。
【課題を解決するための手段】
【０００９】
一つの側面では、送信回路は、無線信号を表すデータが入力され、上記入力されたデータを表すシリアル信号を送信する。
更に、この送信回路は、符号化部と送信部とを備える。
上記符号化部は、任意のビット列を、同一の値が連続するビットの数が所定の閾値数以下であるビット列に変換する符号化方式に従って、上記入力されたデータを符号化する。
上記送信部は、上記無線信号が無線により通信される第１期間にて、上記符号化されたデータを表す第１シリアル信号を送信する。更に、上記送信部は、上記無線信号が無線により通信されない第２期間にて、上記閾値数よりも大きい連続数だけ同一の値が連続するビット列を表す第２シリアル信号を送信する。
【００１０】
一つの側面では、受信回路は、無線信号を表すシリアル信号を受信する。
更に、この受信回路は、受信部と復号部とを備える。
上記受信部は、上記シリアル信号を受信する。
上記復号部は、上記無線信号が無線により通信される第１期間にて受信された上記シリアル信号が表すデータを復号するとともに、上記無線信号が無線により通信されない第２期間にて受信された上記シリアル信号が表すデータを復号しない。
【発明の効果】
【００１１】
消費電力量を低減できる。
【図面の簡単な説明】
【００１２】
【図１】第１実施形態の基地局装置の構成の一例を表すブロック図である。
【図２】図１の、ＢＢＵ、及び、ＲＲＨ、の構成の一例を表すブロック図である。
【図３】図２の、ＢＢＵのＩ／Ｆ回路、及び、ＲＲＨのＩ／Ｆ回路、の構成の一例を表すブロック図である。
【図４】図３の、送信フレーム処理部、及び、シリアライザ部、の構成の一例を表すブロック図である。
【図５】無線フレームにおいて、下りリンクの通信が行なわれる期間、及び、上りリンクの通信が行なわれる期間、の一例を表す説明図である。
【図６】符号化方式において定められた、変換前のビット列と変換後のビット列との関係の一例を表す表である。
【図７】無線信号が無線により通信されない期間において、図３のＩ／Ｆ回路により生成される信号の一例を表す説明図である。
【図８】図３の、受信フレーム処理部、及び、デシリアライザ部、の構成の一例を表すブロック図である。
【図９】無線信号が無線により通信されない期間において、比較例のＩ／Ｆ回路により生成される信号の一例を表す説明図である。
【図１０】第２実施形態の、受信フレーム処理部、及び、デシリアライザ部、の構成の一例を表すブロック図である。
【発明を実施するための形態】
【００１３】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１４】
＜第１実施形態＞
（構成）
例えば、図１に表されるように、第１実施形態の基地局装置１は、ＢＢＵ１０と、Ｍ個のＲＲＨ２０−１，２０−２，２０−３，…，２０−Ｍと、を備える。ＢＢＵは、Ｂａｓｅｂａｎｄ  Ｕｎｉｔの略記である。ＲＲＨは、Ｒｅｍｏｔｅ  Ｒａｄｉｏ  Ｈｅａｄの略記である。Ｍは、１以上の整数を表す。ＲＲＨ２０−ｍは、区別される必要がない場合、ＲＲＨ２０とも表される。ｍは、１乃至Ｍの各整数を表す。
【００１５】
基地局装置１は、図１に表されていない端末装置（例えば、ユーザ端末）と所定の無線通信方式に従った無線通信を行なう。本例では、無線通信方式は、ＬＴＥ−Ａｄｖａｎｃｅｄ方式である。ＬＴＥは、Ｌｏｎｇ  Ｔｅｒｍ  Ｅｖｏｌｕｔｉｏｎの略記である。なお、無線通信方式は、ＬＴＥ方式と異なる方式（例えば、Ｗ−ＣＤＭＡ、又は、ＬＴＥ等の方式）であってもよい。Ｗ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略記である。
【００１６】
基地局装置１は、ｅＮＢ（Ｅｖｏｌｖｅｄ  Ｎｏｄｅ  Ｂ）、又は、アクセスポイントと表されてもよい。ＢＢＵ１０は、ＲＥＣ、無線制御装置、又は、無線制御部と表されてもよい。ＲＥＣは、Ｒａｄｉｏ  Ｅｑｕｉｐｍｅｎｔ  Ｃｏｎｔｒｏｌ、又は、Ｒａｄｉｏ  Ｅｑｕｉｐｍｅｎｔ  Ｃｏｎｔｒｏｌｌｅｒの略記である。ＲＲＨ２０は、ＲＥ、無線装置、又は、無線部と表されてもよい。ＲＥは、Ｒａｄｉｏ  Ｅｑｕｉｐｍｅｎｔの略記である。
【００１７】
ＲＲＨ２０−ｍは、セルＷＡ−ｍを形成する。セルＷＡ−ｍは、無線エリアの一例である。セルＷＡ−ｍは、カバレッジ・エリア、又は、通信エリアと表されてもよい。例えば、セルＷＡ−ｍは、マクロセル、マイクロセル、ナノセル、ピコセル、フェムトセル、ホームセル、スモールセル、又は、セクタセル等である。ＲＲＨ２０−ｍは、ＲＲＨ２０−ｍが形成するセルＷＡ−ｍ内に位置する端末装置と無線通信を行なう。
【００１８】
本例では、セルＷＡ−１は、マクロセルであるとともに、各セルＷＡ−２，…，ＷＡ−Ｍは、スモールセルである。本例では、各スモールセルＷＡ−２，…，ＷＡ−Ｍの少なくとも一部は、マクロセルＷＡ−１の内部に位置する。なお、各スモールセルＷＡ−２，…，ＷＡ−Ｍは、当該スモールセルＷＡ−２，…，ＷＡ−Ｍの全体が、マクロセルＷＡ−１の外部に位置していてもよい。
【００１９】
本例では、マクロセルＷＡ−１においては、無線信号は、周波数分割複信（ＦＤＤ；Ｆｒｅｑｕｅｎｃｙ  Ｄｉｖｉｓｉｏｎ  Ｄｕｐｌｅｘ）方式に従って通信される。本例では、各スモールセルＷＡ−２，…，ＷＡ−Ｍにおいては、無線信号は、時分割複信（ＴＤＤ；Ｔｉｍｅ  Ｄｉｖｉｓｉｏｎ  Ｄｕｐｌｅｘ）方式に従って通信される。例えば、ＴＤＤ方式に従った無線による通信に用いられる無線フレームのフォーマットは、３ＧＰＰ  ＴＳ３６．２１３にて規定されている。
【００２０】
ＲＲＨ２０−ｍは、通信ケーブルＦＣ−ｍを介してＢＢＵ１０と通信可能に接続される。本例では、通信ケーブルＦＣ−ｍは、光ファイバを備える。本例では、ＢＢＵ１０とＲＲＨ２０−ｍとは、所定の通信規格に従って通信する。本例では、通信規格は、ＣＰＲＩと呼ばれる規格である。ＣＰＲＩは、Ｃｏｍｍｏｎ  Ｐｕｂｌｉｃ  Ｒａｄｉｏ  Ｉｎｔｅｒｆａｃｅの略記である。なお、通信規格は、ＯＲＩと呼ばれる規格であってもよい。ＯＲＩは、Ｏｐｅｎ  Ｒａｄｉｏ  Ｅｑｕｉｐｍｅｎｔ  Ｉｎｔｅｒｆａｃｅの略記である。
【００２１】
例えば、図２に表されるように、ＢＢＵ１０は、ＢＢ処理部１１と、Ｍ個のＩ／Ｆ回路１２−１，…，１２−ｍ，…，１２−Ｍと、を備える。ＢＢは、Ｂａｓｅｂａｎｄの略記である。Ｉ／Ｆは、Ｉｎｔｅｒｆａｃｅの略記である。
【００２２】
ＢＢ処理部１１は、Ｍ個のＩ／Ｆ回路１２−１，…，１２−ｍ，…，１２−Ｍのそれぞれに対して、無線情報とＩＱデータとを生成する。
本例では、Ｉ／Ｆ回路１２−ｍに対する無線情報は、ＲＲＨ２０−ｍが形成するセルＷＡ−ｍにおける無線による通信を制御するために用いられる情報である。本例では、無線情報は、第１無線情報と第２無線情報と第３無線情報と第４無線情報とを含む。
【００２３】
第１無線情報は、無線信号が、時分割複信（ＴＤＤ；Ｔｉｍｅ  Ｄｉｖｉｓｉｏｎ  Ｄｕｐｌｅｘ）方式に従って通信されるか否かを表す情報である。第２無線情報は、無線フレームにおける、無線信号が通信される期間のタイミング（例えば、無線フレームの先頭のタイミング、又は、無線フレームの先頭から、当該無線信号が通信されるタイミングまでの時間等）を表す情報である。
【００２４】
無線フレームは、無線信号の無線による通信に用いられる。本例では、各無線フレームは、無線信号のうちの、所定の時間長（本例では、１０ｍｓ）を有する要素である。換言すると、無線信号は、時間軸に沿って連続する複数の無線フレームによって構成される。
【００２５】
第３無線情報は、無線フレームにおける、上りリンクの通信が行なわれる期間のタイミングを表す情報である。第４無線情報は、無線フレームにおける、下りリンクの通信が行なわれる期間のタイミングを表す情報である。
本例では、上りリンクの通信は、端末装置から基地局装置１への通信であるとともに、下りリンクの通信は、基地局装置１から端末装置への通信である。
【００２６】
ＩＱデータは、無線信号を表すデータである。本例では、ＩＱデータは、無線信号の振幅及び位相を表す。例えば、ＢＢ処理部１１は、基地局装置１の外部の装置（例えば、基地局装置１と通信網を介して接続された、他の基地局装置、又は、交換局装置等）から受信した情報に基づいてＩＱデータを生成する。
【００２７】
ＢＢ処理部１１は、Ｉ／Ｆ回路１２−ｍに対して生成した、無線情報とＩＱデータとをＩ／Ｆ回路１２−ｍへ出力する。
【００２８】
Ｉ／Ｆ回路１２−ｍは、制御情報を生成する。制御情報は、ＢＢＵ１０とＲＲＨ２０−ｍとの間の接続を維持するとともに、ＢＢＵ１０とＲＲＨ２０−ｍとの間の通信を制御するために用いられる情報である。制御情報は、Ｃｏｎｔｒｏｌ  Ｗｏｒｄと表されてもよい。本例では、制御情報は、後述する通信フレームを、ＢＢＵ１０とＲＲＨ２０−ｍとの間で同期するために用いられる。
【００２９】
Ｉ／Ｆ回路１２−ｍは、ＢＢ処理部１１から入力された無線情報に基づいて、ＢＢ処理部１１から入力されたＩＱデータと、生成した制御情報と、を表す電気信号を光信号に変換し、変換後の光信号を通信ケーブルＦＣ−ｍを介してＲＲＨ２０−ｍへ送信する。
【００３０】
Ｉ／Ｆ回路１２−ｍは、ＲＲＨ２０−ｍにより送信された光信号を通信ケーブルＦＣ−ｍを介して受信する。
Ｉ／Ｆ回路１２−ｍは、受信した光信号を、ＢＢ処理部１１から入力された無線情報に基づいて電気信号に変換し、変換後の電気信号が表すＩＱデータをＢＢ処理部１１へ出力する。
【００３１】
ＢＢ処理部１１は、Ｉ／Ｆ回路１２−ｍから入力されたＩＱデータを処理する。例えば、ＢＢ処理部１１は、ＩＱデータに基づいて情報を生成し、生成した情報を、基地局装置１の外部の装置（例えば、基地局装置１と通信網を介して接続された、他の基地局装置、又は、交換局装置等）へ送信する。
【００３２】
ＲＲＨ２０−ｍは、アンテナ２１と、無線処理部２２と、Ｉ／Ｆ回路２３と、を備える。
【００３３】
無線処理部２２は、無線情報を生成し、生成した無線情報をＩ／Ｆ回路２３へ出力する。例えば、無線処理部２２は、Ｉ／Ｆ回路２３から入力された情報に基づいて無線情報の生成を行なってよい。
【００３４】
無線処理部２２は、無線信号をアンテナ２１を介して受信する。無線処理部２２は、受信した無線信号が表すＩＱデータを生成し、生成したＩＱデータをＩ／Ｆ回路２３へ出力する。
【００３５】
Ｉ／Ｆ回路２３は、制御情報を生成する。Ｉ／Ｆ回路２３は、無線処理部２２から入力された無線情報に基づいて、無線処理部２２から入力されたＩＱデータと、生成した制御情報と、を表す電気信号を光信号に変換し、変換後の光信号を通信ケーブルＦＣ−ｍを介してＢＢＵ１０へ送信する。
【００３６】
Ｉ／Ｆ回路２３は、ＢＢＵ１０により送信された光信号を通信ケーブルＦＣ−ｍを介して受信する。Ｉ／Ｆ回路２３は、受信した光信号を、無線処理部２２から入力された無線情報に基づいて電気信号に変換し、変換後の電気信号が表すＩＱデータを無線処理部２２へ出力する。
無線処理部２２は、Ｉ／Ｆ回路２３から入力されたＩＱデータが表す無線信号をアンテナ２１を介して送信する。
【００３７】
本例では、Ｉ／Ｆ回路１２−ｍからＩ／Ｆ回路２３への光信号と、Ｉ／Ｆ回路２３からＩ／Ｆ回路１２−ｍへの光信号と、は、波長多重されることにより通信される。
【００３８】
Ｉ／Ｆ回路１２−ｍ及びＩ／Ｆ回路２３について説明を加える。
例えば、図３に表されるように、Ｉ／Ｆ回路１２−ｍは、送信フレーム処理部１２１と、シリアライザ部１２２と、光モジュール１２３と、デシリアライザ部１２４と、受信フレーム処理部１２５と、を備える。シリアライザ部１２２及びデシリアライザ部１２４は、ＳｅｒＤｅｓ回路と表されてもよい。ＳｅｒＤｅｓは、Ｓｅｒｉａｌｉｚｅｒ／Ｄｅｓｅｒｉａｌｉｚｅｒの略記である。
更に、ＢＢＵ１０は、発振器１３を備える。
【００３９】
例えば、図３に表されるように、Ｉ／Ｆ回路２３は、送信フレーム処理部２３１と、シリアライザ部２３２と、光モジュール２３３と、デシリアライザ部２３４と、受信フレーム処理部２３５と、を備える。シリアライザ部２３２及びデシリアライザ部２３４は、ＳｅｒＤｅｓ回路と表されてもよい。
【００４０】
本例では、送信フレーム処理部１２１、シリアライザ部１２２、デシリアライザ部２３４、及び、受信フレーム処理部２３５は、下りリンクの信号を処理するＤＬ処理部３０１を構成する。本例では、送信フレーム処理部２３１、シリアライザ部２３２、デシリアライザ部１２４、及び、受信フレーム処理部１２５は、上りリンクの信号を処理するＵＬ処理部３０２を構成する。ＤＬは、Ｄｏｗｎｌｉｎｋの略記である。ＵＬは、Ｕｐｌｉｎｋの略記である。
【００４１】
例えば、図４に表されるように、送信フレーム処理部１２１は、タイミング管理部１２１１と、第１多重部１２１２と、符号化部１２１３と、交番パタン生成部１２１４と、第２多重部１２１５と、を備える。シリアライザ部１２２は、パラレルシリアル変換部１２２１を備える。
【００４２】
第１多重部１２１２は、ＢＢ処理部１１から入力されたＩＱデータと、Ｉ／Ｆ回路２３により生成された制御情報と、を多重することにより、上記通信規格に従った通信フレームを生成する。第１多重部１２１２は、生成した通信フレームを表すパラレル信号を符号化部１２１３へ出力する。
【００４３】
本例では、通信フレームは、当該通信フレームの先頭部を形成するヘッダ部と、当該ヘッダ部に後続するペイロード部と、からなる。ヘッダ部は、制御情報を格納する。ペイロード部は、ＩＱデータを格納する。
【００４４】
通信フレームは、ＣＰＲＩフレーム、又は、Ｂａｓｉｃ  Ｆｒａｍｅと表されてもよい。例えば、ヘッダ部は、１２８（＝４・３２）個のビットからなるとともに、ペイロード部は、１９２０（＝６０・３２）個のビットからなる。ヘッダ部のビット数は、１２８と異なる値であってもよい。ペイロード部のビット数は、１９２０と異なる値であってもよい。
【００４５】
タイミング管理部１２１１は、第１多重部１２１２による制御情報及びＩＱデータの多重を、ＢＢ処理部１１から入力された無線情報に基づいて制御する。換言すると、タイミング管理部１２１１は、制御情報及びＩＱデータのそれぞれが第１多重部１２１２から出力されるタイミングを、ＢＢ処理部１１から入力された無線情報に基づいて制御する。
【００４６】
例えば、図５に表されるように、無線フレームＦＲは、１０個のサブフレームＳＦ＃０〜ＳＦ＃９からなる。ＴＤＤ方式においては、無線フレームＦＲのうちの一部の期間において、下りリンクの通信が行なわれるとともに、無線フレームＦＲのうちの他（換言すると、残余）の期間において、上りリンクの通信が行なわれる。図５に表される例においては、期間Ｔ１，Ｔ３，Ｔ５において下りリンクの通信が行なわれるとともに、期間Ｔ２，Ｔ４において上りリンクの通信が行なわれる。
【００４７】
従って、ＤＬ処理部３０１は、下りリンクの通信が行なわれる期間（換言すると、ＤＬ通信期間）Ｔ１，Ｔ３，Ｔ５において、制御情報がヘッダ部に格納されるとともにＩＱデータがペイロード部に格納された通信フレームを通信する。一方、ＤＬ処理部３０１は、下りリンクの通信が行なわれない期間（換言すると、ＤＬ無通信期間）Ｔ２，Ｔ４において、制御情報がヘッダ部に格納されるとともにＩＱデータがペイロード部に格納されない通信フレームを通信する。
【００４８】
本例では、ＤＬ処理部３０１に対するＤＬ通信期間Ｔ１，Ｔ３，Ｔ５は、無線信号が無線により通信される第１期間の一例である。本例では、ＤＬ処理部３０１に対するＤＬ無通信期間Ｔ２，Ｔ４は、無線信号が無線により通信されない第２期間の一例である。
【００４９】
符号化部１２１３は、第１多重部１２１２から入力されたパラレル信号を、所定の符号化方式に従って符号化する。符号化方式は、任意のビット列を、同一の値が連続するビットの数が所定の閾値数以下であるビット列に変換する方式である。
【００５０】
本例では、符号化方式は、変換前のビット列と、変換後のビット列と、の関係が予め定められるとともに、当該関係に基づいてビット列を変換する。本例では、変換前のビット列のビット数と、変換後のビット列のビット数と、のそれぞれは、予め定められる。
【００５１】
本例では、符号化方式は、８Ｂ／１０Ｂ方式である。例えば、８Ｂ／１０Ｂ方式において、閾値数は、４である。例えば、図６に表されるように、変換前のビット列と、変換後のビット列と、の関係は、予め定められる。「Ｎａｍｅ」の欄は、名称、又は、ラベルを表す。「８ｂｉｔ」の欄は、変換前のビット列を表す。「ｃｕｒｒｅｎｔＲＤ−」、及び、「ｃｕｒｒｅｎｔＲＤ＋」のそれぞれは、変換後のビット列を表す。ＲＤは、Ｒｕｎｎｉｎｇ  Ｄｉｓｐａｒｉｔｙの略記である。
【００５２】
対象ビット列を変換する場合において、当該対象ビット列の直前のビット列として、「ｃｕｒｒｅｎｔＲＤ＋」のビット列が用いられたとき、対象ビット列に対する変換後のビット列として、「ｃｕｒｒｅｎｔＲＤ−」のビット列が用いられる。対象ビット列を変換する場合において、当該対象ビット列の直前のビット列として、「ｃｕｒｒｅｎｔＲＤ−」のビット列が用いられたとき、対象ビット列に対する変換後のビット列として、「ｃｕｒｒｅｎｔＲＤ＋」のビット列が用いられる。
【００５３】
符号化方式に従って符号化されるビット列（換言すると、変換前の対象ビット列）、又は、符号化方式に従って符号化されたビット列（換言すると、変換後の対象ビット列）は、「ワード」と表されてもよい。
符号化部１２１３は、符号化後のパラレル信号を第２多重部１２１５へ出力する。
【００５４】
交番パタン生成部１２１４は、交番パタン信号を生成する。交番パタン信号は、上記閾値数よりも大きい連続数だけ同一の値が連続するビット列を表す。本例では、交番パタン信号は、連続数だけ０が連続する第１ビット列と、連続数だけ１が連続する第２ビット列と、が交互に並ぶビット列を表す。
【００５５】
本例では、連続数は、Ｉ／Ｆ回路２３が、受信したシリアル信号に基づいてＩ／Ｆ回路１２−ｍと同期されるために許容する上限数（換言すると、同符号連続耐量）未満である。本例では、連続数は、４００である。なお、交番パタン生成部１２１４は、連続数を変更可能に構成されてよい。
【００５６】
交番パタン生成部１２１４は、生成した交番パタン信号を第２多重部１２１５へ出力する。本例では、交番パタン生成部１２１４により出力される交番パタン信号は、パラレル信号である。
【００５７】
第２多重部１２１５は、符号化部１２１３から入力された符号化信号と、交番パタン生成部１２１４から入力された交番パタン信号と、を多重することにより送信フレームを生成する。
【００５８】
タイミング管理部１２１１は、第２多重部１２１５による符号化信号及び交番パタン信号の多重を、ＢＢ処理部１１から入力された無線情報に基づいて制御する。換言すると、タイミング管理部１２１１は、符号化信号及び交番パタン信号のそれぞれが第２多重部１２１５から出力されるタイミングを、ＢＢ処理部１１から入力された無線情報に基づいて制御する。
【００５９】
本例では、タイミング管理部１２１１は、ＤＬ通信期間と、ＤＬ無通信期間と、のそれぞれを、ＢＢ処理部１１から入力された無線情報に基づいて特定（換言すると、識別）する。
【００６０】
本例では、タイミング管理部１２１１は、特定した、ＤＬ通信期間及びＤＬ無通信期間のそれぞれの、ヘッダ部に対応する期間において、符号化信号を出力するように第２多重部１２１５を制御する。タイミング管理部１２１１は、特定したＤＬ通信期間の、ペイロード部に対応する期間において、符号化信号を出力するように第２多重部１２１５を制御する。タイミング管理部１２１１は、特定したＤＬ無通信期間の、ペイロード部に対応する期間において、交番パタン信号を出力するように第２多重部１２１５を制御する。
第２多重部１２１５は、生成した送信フレームを表すパラレル信号をシリアライザ部１２２へ出力する。
【００６１】
例えば、図７の（Ａ）に表されるように、ＤＬ無通信期間において、ペイロード部には、ＩＱデータが格納されない。図７において、「ｄｏｎ’ｔ  ｃａｒｅ」は、任意の値を表す。例えば、ＤＬ無通信期間におけるペイロード部には、任意の値として、予め定められた値（例えば、０又は１）が格納されてよい。
【００６２】
例えば、図７の（Ｂ）に表されるように、第２多重部１２１５は、ＤＬ無通信期間の、ペイロード部に対応する期間において、交番パタン信号を出力する。換言すると、第２多重部１２１５は、ＤＬ無通信期間において、ペイロード部に対応する部分が交番パタン信号である送信フレームを生成する。
【００６３】
本例では、送信フレーム処理部１２１により出力されるパラレル信号は、４０ビットの幅を有するとともに、２４５．７６Ｍｂｐｓの伝送速度を有する。
【００６４】
パラレルシリアル変換部１２２１は、送信フレーム処理部１２１から入力されたパラレル信号をシリアル信号に変換し、変換後のシリアル信号を光モジュール１２３へ出力する。例えば、図７の（Ｃ）に表されるように、パラレルシリアル変換部１２２１は、ＤＬ無通信期間の、ペイロード部に対応する期間において交番パタン信号を出力する。
【００６５】
パラレルシリアル変換部１２２１により出力される符号化信号は、第１シリアル信号の一例である。パラレルシリアル変換部１２２１により出力される交番パタン信号は、第２シリアル信号の一例である。
【００６６】
本例では、シリアライザ部１２２により出力されるシリアル信号は、９．８３０４Ｇｂｐｓの伝送速度を有する。
【００６７】
光モジュール１２３は、シリアライザ部１２２から入力されたシリアル信号を光信号に変換し、変換後の光信号を通信ケーブルＦＣ−ｍを介してＲＲＨ２０−ｍへ送信する。
【００６８】
本例では、図３に表されるように、発振器１３は、所定の周波数を有するクロック信号を生成し、生成したクロック信号をシリアライザ部１２２へ出力する。シリアライザ部１２２は、発振器１３から入力されたクロック信号に同期されたタイミングにて動作する。シリアライザ部１２２は、発振器１３から入力されたクロック信号を、送信フレーム処理部１２１及びＢＢ処理部１１のそれぞれへ出力する。送信フレーム処理部１２１及びＢＢ処理部１１のそれぞれは、シリアライザ部１２２から入力されたクロック信号に同期されたタイミングにて動作する。
【００６９】
例えば、図８に表されるように、デシリアライザ部２３４は、シリアルパラレル変換部２３４１を備える。受信フレーム処理部２３５は、タイミング管理部２３５１と、同期コード検出部２３５２と、復号部２３５３と、分離部２３５４と、を備える。
【００７０】
光モジュール２３３は、ＢＢＵ１０により送信された光信号を通信ケーブルＦＣ−ｍを介して受信する。光モジュール２３３は、受信した光信号をシリアル信号に変換し、変換後のシリアル信号をデシリアライザ部２３４へ出力する。
【００７１】
シリアルパラレル変換部２３４１は、光モジュール２３３から入力されたシリアル信号をパラレル信号に変換し、変換後のパラレル信号を受信フレーム処理部２３５へ出力する。
【００７２】
同期コード検出部２３５２は、デシリアライザ部２３４から入力されたパラレル信号が表すビット列の中から同期コードを検出する。同期コードは、予め定められたビット列である。
【００７３】
本例では、同期コードは、通信フレームのヘッダ部のうちの予め定められた部分に格納されている。従って、同期コード検出部２３５２は、同期コードを検出することにより、同期コードが検出されたタイミング（換言すると、ビット列における同期コードの位置、又は、通信フレームの位相）を検出する。同期コード検出部２３５２は、検出したタイミングをタイミング管理部２３５１に通知する。
【００７４】
同期コード検出部２３５２は、検出したタイミングに基づいて、デシリアライザ部２３４から入力されたパラレル信号に対するワードアライメントを行なう。ワードアライメントは、符号化方式に従って符号化されたビット列（換言すると、「ワード」）の先頭のビットが、パラレル信号を伝送する複数の信号線のうちの所定の信号線にて伝送されるように、パラレル信号の位相を制御する処理である。
同期コード検出部２３５２は、ワードアライメント後のパラレル信号を復号部２３５３へ出力する。
【００７５】
復号部２３５３は、同期コード検出部２３５２から入力されたパラレル信号が表すビット列を復号する。復号部２３５３は、符号化部１２１３が用いる符号化方式に対応する復号方式に従って復号を行なう。本例では、復号部２３５３は、符号化部１２１３が用いる符号化方式において定められた、変換前のビット列と、変換後のビット列と、の関係に基づいてビット列を変換する。
【００７６】
復号部２３５３は、復号を実行している期間において、当該復号の対象のビット列が、上記関係における、変換後のビット列のいずれとも一致しない場合、当該復号における異常の発生を検出する。
【００７７】
タイミング管理部２３５１は、無線処理部２２から入力された無線情報に基づいて、復号部２３５３による復号の実行を制御する。
本例では、タイミング管理部２３５１は、ＤＬ通信期間と、ＤＬ無通信期間と、のそれぞれの、ヘッダ部に対応する期間において、復号を実行するように復号部２３５３を制御する。タイミング管理部２３５１は、ＤＬ通信期間の、ペイロード部に対応する期間において、復号を実行するように復号部２３５３を制御する。タイミング管理部２３５１は、ＤＬ無通信期間の、ペイロード部に対応する期間において、復号を停止するように復号部２３５３を制御する。
【００７８】
復号部２３５３は、復号を実行している期間において、復号後のパラレル信号を分離部２３５４へ出力する。復号部２３５３は、復号を停止している期間において、同期コード検出部２３５２から入力されたパラレル信号を分離部２３５４へ出力する。
【００７９】
分離部２３５４は、復号部２３５３から入力されたパラレル信号が表すデータから、ＩＱデータ及び制御情報を取得（換言すると、抽出、又は、分離）する。
タイミング管理部２３５１は、分離部２３５４によるＩＱデータ及び制御情報の取得を、無線処理部２２から入力された無線情報に基づいて制御する。換言すると、タイミング管理部２３５１は、分離部２３５４がＩＱデータ及び制御情報を取得するタイミングを、無線処理部２２から入力された無線情報に基づいて制御する。
分離部２３５４は、取得したＩＱデータを無線処理部２２へ出力する。
【００８０】
本例では、図３に表されるように、デシリアライザ部２３４は、光モジュール２３３から入力されたシリアル信号に基づいて、クロック信号を生成する。本例では、デシリアライザ部２３４は、シリアル信号が表す値が変化するタイミングに基づいてクロック信号の生成を行なう。デシリアライザ部２３４によるクロック信号の生成は、Ｃｌｏｃｋ  Ｄａｔａ  Ｒｅｃｏｖｅｒｙと表されてもよい。
【００８１】
なお、デシリアライザ部２３４は、発振器を備えるとともに、当該発振器が生成するクロック信号の位相を、光モジュール２３３から入力されたシリアル信号に基づいて調整することにより、シリアル信号に同期されたクロック信号を生成してもよい。
【００８２】
デシリアライザ部２３４は、生成したクロック信号を、受信フレーム処理部２３５、無線処理部２２、送信フレーム処理部２３１、及び、シリアライザ部２３２のそれぞれへ出力する。受信フレーム処理部２３５、無線処理部２２、送信フレーム処理部２３１、及び、シリアライザ部２３２のそれぞれは、デシリアライザ部２３４から入力されたクロック信号に同期されたタイミングにて動作する。
【００８３】
下りリンクの通信に対して、ＤＬ処理部３０１は、通信システムの一例である。
下りリンクの通信に対して、送信フレーム処理部１２１及びシリアライザ部１２２は、送信回路の一例である。下りリンクの通信に対して、符号化部１２１３は、符号化部の一例である。下りリンクの通信に対して、シリアライザ部１２２、タイミング管理部１２１１、及び、第２多重部１２１５は、送信部の一例である。
【００８４】
下りリンクの通信に対して、デシリアライザ部２３４及び受信フレーム処理部２３５は、受信回路の一例である。下りリンクの通信に対して、デシリアライザ部２３４は、受信部の一例である。下りリンクの通信に対して、復号部２３５３、及び、タイミング管理部２３５１は、復号部の一例である。
【００８５】
次に、ＵＬ処理部３０２について説明を加える。ＵＬ処理部３０２は、下りリンクの信号に代えて、上りリンクの信号を処理する点、及び、送信側のＩ／Ｆ回路２３において、デシリアライザ部２３４により生成されたクロック信号を用いる点を除いて、ＤＬ処理部３０１と同様に構成される。
【００８６】
送信フレーム処理部２３１及びシリアライザ部２３２は、送信フレーム処理部１２１及びシリアライザ部１２２とそれぞれ同様に構成される。デシリアライザ部１２４及び受信フレーム処理部１２５は、デシリアライザ部２３４及び受信フレーム処理部２３５とそれぞれ同様に構成される。
【００８７】
例えば、図５に表されるように、ＵＬ処理部３０２は、上りリンクの通信が行なわれる期間（換言すると、ＵＬ通信期間）Ｔ２，Ｔ４において、制御情報がヘッダ部に格納されるとともにＩＱデータがペイロード部に格納された通信フレームを通信する。一方、ＵＬ処理部３０２は、上りリンクの通信が行なわれない期間（換言すると、ＵＬ無通信期間）Ｔ１，Ｔ３，Ｔ５において、制御情報がヘッダ部に格納されるとともにＩＱデータがペイロード部に格納されない通信フレームを通信する。
【００８８】
本例では、ＵＬ処理部３０２に対するＵＬ通信期間Ｔ２，Ｔ４は、無線信号が無線により通信される第１期間の一例である。本例では、ＵＬ処理部３０２に対するＵＬ無通信期間Ｔ１，Ｔ３，Ｔ５は、無線信号が無線により通信されない第２期間の一例である。
【００８９】
上りリンクの通信に対して、ＵＬ処理部３０２は、通信システムの一例である。
上りリンクの通信に対して、送信フレーム処理部２３１及びシリアライザ部２３２は、送信回路の一例である。上りリンクの通信に対して、送信フレーム処理部２３１の符号化部は、符号化部の一例である。上りリンクの通信に対して、シリアライザ部２３２、送信フレーム処理部２３１のタイミング管理部、及び、送信フレーム処理部２３１の第２多重部は、送信部の一例である。
【００９０】
上りリンクの通信に対して、デシリアライザ部１２４及び受信フレーム処理部１２５は、受信回路の一例である。上りリンクの通信に対して、デシリアライザ部１２４は、受信部の一例である。上りリンクの通信に対して、受信フレーム処理部１２５の復号部、及び、受信フレーム処理部１２５のタイミング管理部は、復号部の一例である。
【００９１】
（動作）
次に、基地局装置１の動作の一例について図５を参照しながら説明する。
先ず、期間Ｔ１における下りリンクの通信に関する基地局装置１の動作について説明する。
ＢＢＵ１０のＢＢ処理部１１は、ＩＱデータを生成する。Ｉ／Ｆ回路１２−ｍは、制御情報を生成する。
そして、Ｉ／Ｆ回路１２−ｍの送信フレーム処理部１２１は、ＢＢ処理部１１により生成されたＩＱデータを符号化するとともに、Ｉ／Ｆ回路１２−ｍにより生成された制御情報を符号化する。
【００９２】
次いで、送信フレーム処理部１２１は、ヘッダ部及びペイロード部の両方に対応する期間において、符号化された符号化信号を含む送信フレームを生成する。そして、Ｉ／Ｆ回路１２−ｍのシリアライザ部１２２は、送信フレーム処理部１２１により生成された送信フレームを表すパラレル信号をシリアル信号に変換する。
【００９３】
次いで、Ｉ／Ｆ回路１２−ｍの光モジュール１２３は、シリアライザ部１２２により変換されたシリアル信号を光信号に変換し、変換後の光信号を通信ケーブルＦＣ−ｍを介してＲＲＨ２０−ｍへ送信する。
【００９４】
これにより、Ｉ／Ｆ回路２３の光モジュール２３３は、ＢＢＵ１０により送信された光信号を通信ケーブルＦＣ−ｍを介して受信し、受信した光信号をシリアル信号に変換する。
【００９５】
そして、Ｉ／Ｆ回路２３のデシリアライザ部２３４は、光モジュール２３３により変換されたシリアル信号をパラレル信号に変換する。次いで、Ｉ／Ｆ回路２３の受信フレーム処理部２３５は、ヘッダ部及びペイロード部の両方に対応する期間において、デシリアライザ部２３４により変換されたパラレル信号が表すビット列を復号する。これにより、受信フレーム処理部２３５は、ＩＱデータを取得する。
【００９６】
ＲＲＨ２０−ｍの無線処理部２２は、受信フレーム処理部２３５により取得されたＩＱデータが表す無線信号をアンテナ２１を介して送信する。
【００９７】
次に、期間Ｔ１における上りリンクの通信に関する基地局装置１の動作について説明する。
この期間Ｔ１においては、ＲＲＨ２０−ｍの無線処理部２２は、無線信号を受信しない。従って、無線処理部２２は、ＩＱデータを生成しない。Ｉ／Ｆ回路２３は、制御情報を生成する。そして、Ｉ／Ｆ回路２３の送信フレーム処理部２３１は、Ｉ／Ｆ回路２３により生成された制御情報を符号化する。
【００９８】
次いで、送信フレーム処理部２３１は、ヘッダ部に対応する期間において、符号化された符号化信号を含むとともに、ペイロード部に対応する期間において、交番パタン信号を含む送信フレームを生成する。そして、Ｉ／Ｆ回路２３のシリアライザ部２３２は、送信フレーム処理部２３１により生成された送信フレームを表すパラレル信号をシリアル信号に変換する。
【００９９】
次いで、Ｉ／Ｆ回路２３の光モジュール２３３は、シリアライザ部２３２により変換されたシリアル信号を光信号に変換し、変換後の光信号を通信ケーブルＦＣ−ｍを介してＢＢＵ１０へ送信する。
【０１００】
これにより、Ｉ／Ｆ回路１２−ｍの光モジュール１２３は、ＲＲＨ２０−ｍにより送信された光信号を通信ケーブルＦＣ−ｍを介して受信し、受信した光信号をシリアル信号に変換する。
【０１０１】
そして、Ｉ／Ｆ回路１２−ｍのデシリアライザ部１２４は、光モジュール１２３により変換されたシリアル信号をパラレル信号に変換する。次いで、Ｉ／Ｆ回路１２−ｍの受信フレーム処理部１２５は、ヘッダ部に対応する期間において、デシリアライザ部１２４により変換されたパラレル信号が表すビット列を復号する。更に、Ｉ／Ｆ回路１２−ｍの受信フレーム処理部１２５は、ペイロード部に対応する期間において、デシリアライザ部１２４により変換されたパラレル信号が表すビット列を復号しない。
【０１０２】
次に、期間Ｔ２における下りリンクの通信に関する基地局装置１の動作について説明する。
この期間Ｔ２においては、ＢＢＵ１０のＢＢ処理部１１は、ＩＱデータを生成しない。Ｉ／Ｆ回路１２−ｍは、制御情報を生成する。そして、Ｉ／Ｆ回路１２−ｍの送信フレーム処理部１２１は、Ｉ／Ｆ回路１２−ｍにより生成された制御情報を符号化する。
【０１０３】
次いで、送信フレーム処理部１２１は、ヘッダ部に対応する期間において、符号化された符号化信号を含むとともに、ペイロード部に対応する期間において、交番パタン信号を含む送信フレームを生成する。そして、Ｉ／Ｆ回路１２−ｍのシリアライザ部１２２は、送信フレーム処理部１２１により生成された送信フレームを表すパラレル信号をシリアル信号に変換する。
【０１０４】
次いで、Ｉ／Ｆ回路１２−ｍの光モジュール１２３は、シリアライザ部１２２により変換されたシリアル信号を光信号に変換し、変換後の光信号を通信ケーブルＦＣ−ｍを介してＲＲＨ２０−ｍへ送信する。
【０１０５】
これにより、Ｉ／Ｆ回路２３の光モジュール２３３は、ＢＢＵ１０により送信された光信号を通信ケーブルＦＣ−ｍを介して受信し、受信した光信号をシリアル信号に変換する。
【０１０６】
そして、Ｉ／Ｆ回路２３のデシリアライザ部２３４は、光モジュール２３３により変換されたシリアル信号をパラレル信号に変換する。次いで、Ｉ／Ｆ回路２３の受信フレーム処理部２３５は、ヘッダ部に対応する期間において、デシリアライザ部２３４により変換されたパラレル信号が表すビット列を復号する。更に、Ｉ／Ｆ回路２３の受信フレーム処理部２３５は、ペイロード部に対応する期間において、デシリアライザ部２３４により変換されたパラレル信号が表すビット列を復号しない。
【０１０７】
次に、期間Ｔ２における上りリンクの通信に関する基地局装置１の動作について説明する。
この期間Ｔ２においては、ＲＲＨ２０−ｍの無線処理部２２は、無線信号を受信し、受信した無線信号を表すＩＱデータを生成する。Ｉ／Ｆ回路２３は、制御情報を生成する。そして、Ｉ／Ｆ回路２３の送信フレーム処理部２３１は、無線処理部２２により生成されたＩＱデータを符号化するとともに、Ｉ／Ｆ回路２３により生成された制御情報を符号化する。
【０１０８】
次いで、送信フレーム処理部２３１は、ヘッダ部及びペイロード部の両方に対応する期間において、符号化された符号化信号を含む送信フレームを生成する。そして、Ｉ／Ｆ回路２３のシリアライザ部２３２は、送信フレーム処理部２３１により生成された送信フレームを表すパラレル信号をシリアル信号に変換する。
【０１０９】
次いで、Ｉ／Ｆ回路２３の光モジュール２３３は、シリアライザ部２３２により変換されたシリアル信号を光信号に変換し、変換後の光信号を通信ケーブルＦＣ−ｍを介してＢＢＵ１０へ送信する。
【０１１０】
これにより、Ｉ／Ｆ回路１２−ｍの光モジュール１２３は、ＲＲＨ２０−ｍにより送信された光信号を通信ケーブルＦＣ−ｍを介して受信し、受信した光信号をシリアル信号に変換する。
【０１１１】
そして、Ｉ／Ｆ回路１２−ｍのデシリアライザ部１２４は、光モジュール１２３により変換されたシリアル信号をパラレル信号に変換する。次いで、Ｉ／Ｆ回路１２−ｍの受信フレーム処理部１２５は、ヘッダ部及びペイロード部の両方に対応する期間において、デシリアライザ部１２４により変換されたパラレル信号が表すビット列を復号する。これにより、受信フレーム処理部１２５は、ＩＱデータを取得する。次いで、ＢＢＵ１０のＢＢ処理部１１は、受信フレーム処理部１２５により取得されたＩＱデータを処理する。
【０１１２】
基地局装置１は、期間Ｔ３，Ｔ５において、期間Ｔ１と同様に動作する。更に、基地局装置１は、期間Ｔ４において、期間Ｔ２と同様に動作する。
【０１１３】
以上、説明したように、第１実施形態のＩ／Ｆ回路１２−ｍは、下りリンクの無線信号が無線により通信される第１期間にて、符号化方式に従って符号化されたデータを表す第１シリアル信号を送信する。符号化方式は、任意のビット列を、同一の値が連続するビットの数が所定の閾値数以下であるビット列に変換する方式である。更に、Ｉ／Ｆ回路１２−ｍは、下りリンクの無線信号が無線により通信されない第２期間にて、上記閾値数よりも大きい連続数だけ同一の値が連続するビット列を表す第２シリアル信号を送信する。
【０１１４】
同様に、第１実施形態のＩ／Ｆ回路２３は、上りリンクの無線信号が無線により通信される第１期間にて、符号化方式に従って符号化されたデータを表す第１シリアル信号を送信する。更に、Ｉ／Ｆ回路２３は、上りリンクの無線信号が無線により通信されない第２期間にて、上記閾値数よりも大きい連続数だけ同一の値が連続するビット列を表す第２シリアル信号を送信する。
【０１１５】
例えば、図９の（Ａ）に表されるように、比較例のＩ／Ｆ回路は、無線信号が無線により通信されない第２期間において、予め定められた値（本例では、０）がペイロード部に格納（換言すると、パディング）された通信フレームを生成する。次いで、図９の（Ｂ）に表されるように、比較例のＩ／Ｆ回路は、無線信号が無線により通信されない第２期間において、生成された通信フレームに含まれる、ヘッダ部及びペイロード部の両方を符号化する。
【０１１６】
そして、図９の（Ｃ）に表されるように、比較例のＩ／Ｆ回路は、無線信号が無線により通信されない第２期間において、符号化された符号化信号をシリアル信号に変換し、変換後のシリアル信号を光信号に変換し、変換後の光信号を送信する。
【０１１７】
図９の（Ｄ）は、無線信号が無線により通信されない第２期間の、ペイロード部に対応する期間における、シリアル信号の一例を表す。図９の（Ｄ）に表されるように、比較例においては、無線信号が無線により通信されない第２期間の、ペイロード部に対応する期間において、同一の値が連続するビットの数が閾値数以下である。
【０１１８】
これに対し、第１実施形態においては、無線信号が無線により通信されない第２期間の、ペイロード部に対応する期間において、同一の値が連続するビットの数は、閾値数よりも大きい連続数である。
【０１１９】
従って、第１実施形態の、Ｉ／Ｆ回路１２−ｍ及びＩ／Ｆ回路２３によれば、第２期間にてトグル頻度を低減できる。この結果、第２期間にて消費電力量を低減できる。例えば、第１実施形態の、Ｉ／Ｆ回路１２−ｍ又はＩ／Ｆ回路２３のスイッチング動作に関する消費電力量を、比較例のＩ／Ｆ回路のスイッチング動作に関する消費電力量の約５３％まで低減できる。
【０１２０】
また、第２期間においても、制御情報の通信が維持される。従って、Ｉ／Ｆ回路１２−ｍとＩ／Ｆ回路２３との間の接続を維持できる。また、通信フレームの、Ｉ／Ｆ回路１２−ｍとＩ／Ｆ回路２３との間の同期を維持できる。
【０１２１】
更に、第１実施形態において、第２シリアル信号は、上記連続数だけ０が連続する第１ビット列と、上記連続数だけ１が連続する第２ビット列と、が交互に並ぶビット列を表す。
【０１２２】
これによれば、第２期間にてトグル頻度を低減できる。この結果、第２期間にて消費電力量を低減できる。
【０１２３】
更に、第１実施形態の、Ｉ／Ｆ回路１２−ｍ及びＩ／Ｆ回路２３のそれぞれは、無線情報に基づいて第２期間を特定する。
【０１２４】
無線信号がＴＤＤ方式に従って通信される場合、下りリンクの無線信号が無線により通信されない期間、及び、上りリンクの無線信号が無線により通信されない期間のそれぞれが設けられる。
【０１２５】
また、無線フレームにおける、第２期間のタイミングは、無線フレームにおける、無線信号が通信される期間のタイミングに対応する。また、無線フレームにおける第２期間のタイミングは、無線フレームにおける、上りリンクの通信が行なわれる期間のタイミングに対応する。また、無線フレームにおける第２期間のタイミングは、無線フレームにおける、下りリンクの通信が行なわれる期間のタイミングに対応する。
【０１２６】
従って、Ｉ／Ｆ回路１２−ｍ及びＩ／Ｆ回路２３によれば、第２期間を高い精度にて特定できる。
【０１２７】
更に、第１実施形態において、上記連続数は、上限数未満である。Ｉ／Ｆ回路２３に対する上限数は、Ｉ／Ｆ回路１２−ｍが、受信したシリアル信号に基づいて、Ｉ／Ｆ回路２３と同期されるために許容する値である。Ｉ／Ｆ回路１２−ｍに対する上限数は、Ｉ／Ｆ回路２３が、受信したシリアル信号に基づいて、Ｉ／Ｆ回路１２−ｍと同期されるために許容する値である。
【０１２８】
これによれば、Ｉ／Ｆ回路２３は、下りリンクに対する第２期間にて受信したシリアル信号に基づいてＩ／Ｆ回路１２−ｍと同期される。従って、Ｉ／Ｆ回路２３とＩ／Ｆ回路１２−ｍとが同期された状態を下りリンクに対する第２期間においても維持できる。同様に、Ｉ／Ｆ回路１２−ｍは、上りリンクに対する第２期間にて受信したシリアル信号に基づいてＩ／Ｆ回路２３と同期される。従って、Ｉ／Ｆ回路２３とＩ／Ｆ回路１２−ｍとが同期された状態を上りリンクに対する第２期間においても維持できる。
【０１２９】
更に、第１実施形態のＩ／Ｆ回路２３は、下りリンクの無線信号が無線により通信される第１期間にて受信されたシリアル信号が表すデータを復号する。加えて、Ｉ／Ｆ回路２３は、下りリンクの無線信号が無線により通信されない第２期間にて受信されたシリアル信号が表すデータを復号しない。
【０１３０】
同様に、第１実施形態のＩ／Ｆ回路１２−ｍは、上りリンクの無線信号が無線により通信される第１期間にて受信されたシリアル信号が表すデータを復号する。加えて、Ｉ／Ｆ回路１２−ｍは、上りリンクの無線信号が無線により通信されない第２期間にて受信されたシリアル信号が表すデータを復号しない。
【０１３１】
これによれば、復号の異常の発生を抑制できる。復号の異常は、Ｉ／Ｆ回路１２−ｍ又はＩ／Ｆ回路２３が、受信されたシリアル信号が表すデータの復号に失敗することである。
【０１３２】
＜第２実施形態＞
次に、第２実施形態の基地局装置について説明する。第２実施形態の基地局装置は、第１実施形態の基地局装置に対して、ペイロード部が交番パタン信号により形成されているか否かを表す情報がヘッダ部に格納される点において相違している。以下、相違点を中心として説明する。なお、第２実施形態の説明において、第１実施形態にて使用した符号と同じ符号を付したものは、同一又はほぼ同様のものである。
【０１３３】
第２実施形態のＩ／Ｆ回路１２−ｍにより生成される制御情報は、フラグ情報を含む。フラグ情報は、当該フラグ情報が格納されるヘッダ部とともに通信フレームに含まれるペイロード部が、符号化されていない交番パタン信号により形成されているか否かを表す。
【０１３４】
例えば、図１０に表されるように、第２実施形態の受信フレーム処理部２３５は、第１実施形態の受信フレーム処理部２３５が備える、タイミング管理部２３５１及び分離部２３５４に代えて、タイミング管理部２３５１Ａ及び分離部２３５４Ａを備える。
【０１３５】
分離部２３５４Ａは、復号部２３５３から入力されたパラレル信号が表すデータから、ＩＱデータ及び制御情報を取得（換言すると、抽出、又は、分離）する。
タイミング管理部２３５１Ａは、分離部２３５４ＡによるＩＱデータ及び制御情報の取得を、無線処理部２２から入力された無線情報に基づいて制御する。換言すると、タイミング管理部２３５１Ａは、分離部２３５４ＡがＩＱデータ及び制御情報を取得するタイミングを、無線処理部２２から入力された無線情報に基づいて制御する。
分離部２３５４Ａは、取得したＩＱデータを無線処理部２２へ出力するとともに、取得した制御情報をタイミング管理部２３５１Ａへ出力する。
【０１３６】
タイミング管理部２３５１Ａは、無線処理部２２から入力された無線情報に代えて、分離部２３５４Ａから入力された制御情報に基づいて復号部２３５３による復号の実行を制御する。
【０１３７】
本例では、タイミング管理部２３５１Ａは、制御情報に含まれるフラグ情報が符号化有情報である場合、当該フラグ情報が格納されるヘッダ部とともに通信フレームに含まれるペイロード部に対応する期間にて、復号を実行するように復号部２３５３を制御する。符号化有情報は、フラグ情報が格納されるヘッダ部とともに通信フレームに含まれるペイロード部が、符号化された符号化信号により形成されている（換言すると、交番パタン信号により形成されていない）ことを表すフラグ情報である。
【０１３８】
本例では、タイミング管理部２３５１Ａは、制御情報に含まれるフラグ情報が符号化無情報である場合、当該フラグ情報が格納されるヘッダ部とともに通信フレームに含まれるペイロード部に対応する期間にて、復号を停止するように復号部２３５３を制御する。符号化無情報は、フラグ情報が格納されるヘッダ部とともに通信フレームに含まれるペイロード部が、符号化されていない交番パタン信号により形成されていることを表すフラグ情報である。
【０１３９】
受信フレーム処理部１２５が備える分離部及びタイミング管理部も、分離部２３５４Ａ及びタイミング管理部２３５１Ａとそれぞれ同様に構成される。
【０１４０】
以上、説明したように、第２実施形態の基地局装置１も、第１実施形態の基地局装置１と同様の作用及び効果を奏する。
更に、第２実施形態の通信フレームに含まれるヘッダ部には、当該ヘッダ部とともに当該通信フレームに含まれるペイロード部が、符号化されていないデータを表すシリアル信号（本例では、交番パタン信号）により形成されているか否かを表す情報が格納される。加えて、タイミング管理部２３５１Ａは、ヘッダ部に基づいて第２期間を特定する。
【０１４１】
これによれば、Ｉ／Ｆ回路１２−ｍ及びＩ／Ｆ回路２３は、通信フレームに含まれるペイロード部が、符号化されていないデータを表すシリアル信号により形成されているか否かを認識できる。従って、Ｉ／Ｆ回路１２−ｍ及びＩ／Ｆ回路２３が、ペイロード部の復号に失敗する（換言すると、復号の異常が発生する）ことを抑制できる。
【０１４２】
また、第２実施形態のＩ／Ｆ回路１２−ｍ及びＩ／Ｆ回路２３によれば、無線情報に関連しない要因に基づいて、ペイロード部にＩＱデータが格納されない場合にも、復号の異常の発生を抑制できる。
【符号の説明】
【０１４３】
１      基地局装置
１０    ＢＢＵ
１１    ＢＢ処理部
１２−１，１２−２，１２−３，…，１２−Ｍ  Ｉ／Ｆ回路
１２１  送信フレーム処理部
１２１１  タイミング管理部
１２１２  第１多重部
１２１３  符号化部
１２１４  交番パタン生成部
１２１５  第２多重部
１２２  シリアライザ部
１２２１  パラレルシリアル変換部
１２３  光モジュール
１２４  デシリアライザ部
１２５  受信フレーム処理部
１３    発振器
２０−１，２０−２，２０−３，…，２０−Ｍ  ＲＲＨ
２１    アンテナ
２２    無線処理部
２３    Ｉ／Ｆ回路
２３１  送信フレーム処理部
２３２  シリアライザ部
２３３  光モジュール
２３４  デシリアライザ部
２３４１  シリアルパラレル変換部
２３５  受信フレーム処理部
２３５１，２３５１Ａ  タイミング管理部
２３５２  同期コード検出部
２３５３  復号部
２３５４，２３５４Ａ  分離部
３０１  ＤＬ処理部
３０２  ＵＬ処理部
ＦＣ−１，ＦＣ−２，ＦＣ−３，…，ＦＣ−Ｍ  通信ケーブル
ＦＲ    無線フレーム
ＳＦ＃０〜ＳＦ＃９  サブフレーム
【図１】
2018029242.tif 000003
【図２】
2018029242.tif 000004
【図３】
2018029242.tif 000005
【図４】
2018029242.tif 000006
【図５】
2018029242.tif 000007
【図６】
2018029242.tif 000008
【図７】
2018029242.tif 000009
【図８】
2018029242.tif 000010
【図９】
2018029242.tif 000011
【図１０】
2018029242.tif 000012